(57)【特許請求の範囲】
【請求項１】
平面形状が矩形をなすダイニングキッチンにリビングを隣接配置するとともに、前記ダイニングキッチンがダイニングスペースとキッチンスペースとに区分されるように該ダイニングキッチンにキッチンユニットを配置した住宅の室内配置構造において、
前記キッチンユニットを、前記ダイニングスペース及び前記キッチンスペースがそれぞれ台形をなすように前記ダイニングキッチンの短手方向又は長手方向に対して斜めに配置するとともに、前記キッチンユニットの前記リビング側の側方に目隠し手段を設けることで、前記キッチンスペースに向けられる前記リビングからの視線が前記目隠し手段によって遮られるように構成したことを特徴とする住宅の室内配置構造。
【請求項２】
前記目隠し手段を前記ダイニングスペース側に延設した請求項１記載の住宅の室内配置構造。
【発明の詳細な説明】
【０００１】
【発明の属する技術分野】
本発明は、住宅の室内配置構造に関する。
【０００２】
【従来の技術】
最近の住宅においては、家族のコミュニケーションを図るため、間仕切り壁を設けずにダイニングとリビングを隣接配置するとともに、該ダイニングに対面式のキッチンを隣接配置する室内構造とすることが多い。
【０００３】
また、住宅内に配置されるキッチンは、平面形状が矩形をなすように配置されるのが一般的であり、かかるキッチン内に設置される流し台、ガス台、調理台等からなるキッチンユニットや冷蔵庫、食器棚等のキッチン設備は、矩形平面状のキッチンの壁面に沿って配置されている。
【０００４】
【発明が解決しようとする課題】
しかしながら、上述したようにキッチンを対面式とすると、リビングに来客がいる場合に、来客にキッチン内を見られてしまうという問題を生じていた。
【０００５】
一方、キッチンにいる母親がリビングにいる子供の様子を見たい場合に、対面式キッチンであったとしてもキッチンからリビングが見えにくい場合があるという問題も生じていた。
【０００６】
また、キッチンの壁面に沿って冷蔵庫や食器棚を配置すると、冷蔵庫の方が食器棚よりも奥行きがあるため、キッチンの面積を十分取れない場合には、冷蔵庫とキッチンユニットとの間が狭くなり、冷蔵庫前の歩行や冷蔵庫の開閉がやりにくくなるとともに、その結果、キッチン内での作業効率自体が低下してしまうという問題を生じていた。
【０００７】
本発明は、上述した事情を考慮してなされたもので、リビングからキッチンへの視線を遮ることのできる住宅の室内配置構造を提供することを目的とする。
【０００９】
【課題を解決するための手段】
上記目的を達成するため、本発明に係る住宅の室内配置構造は請求項１に記載したように、平面形状が矩形をなすダイニングキッチンにリビングを隣接配置するとともに、前記ダイニングキッチンがダイニングスペースとキッチンスペースとに区分されるように該ダイニングキッチンにキッチンユニットを配置した住宅の室内配置構造において、
前記キッチンユニットを、前記ダイニングスペース及び前記キッチンスペースがそれぞれ台形をなすように前記ダイニングキッチンの短手方向又は長手方向に対して斜めに配置するとともに、前記キッチンユニットの前記リビング側の側方に目隠し手段を設けることで、前記キッチンスペースに向けられる前記リビングからの視線が前記目隠し手段によって遮られるように構成したものである。
【００１０】
また、本発明に係る住宅の室内配置構造は、前記目隠し手段を前記ダイニングスペース側に延設したものである。
【００１４】
請求項１に係る住宅の室内配置構造においては、キッチンユニットを、ダイニングスペース及びキッチンスペースがそれぞれ台形をなすようにダイニングキッチンの短手方向又は長手方向に対して斜めに配置するとともに、キッチンユニットのリビング側の側方に目隠し手段を設けることで、キッチンスペースに向けられるリビングからの視線が目隠し手段によって遮られるように構成してある。
【００１５】
このようにすると、リビングからはキッチンスペース内がより見えにくくなり、リビングに来客がいる場合でも、該リビングからの来客の視線を気にすることなく、キッチンスペースで家事を続けることが可能となる。
【００１７】
なお、リビングの形状については、ダイニングキッチンとは異なり、平面形状が矩形をなす必要はなく、任意に設定することができる。
【００１８】
キッチンユニットをどのように構成するかは任意であるが、主として、流し台、調理台及びガス台から構成することが考えられる。
【００１９】
ダイニングキッチンは、平面形状が矩形をなしており、該ダイニングキッチンに配置されたキッチンユニットによってダイニングスペースとキッチンスペースとに区分された、いわゆる対面式のダイニングキッチンとなっている。
【００２１】
斜めに平面配置するとは、矩形平面状をなすダイニングキッチンの短手方向及び長手方向のいずれに対しても非平行となるように配置するという意味であるが、キッチンスペースに向けられるリビングからの視線が目隠し手段によって遮られる限り、どの程度斜めに傾けるかは任意である。
【００２２】
目隠し手段は、リビングからの視線を遮ることができるのであればどのように構成するかは任意であり、キッチンユニットの側方に壁を立設して構成するほか、例えば、棚等の収納家具を配置したり、不透明のカーテンやロールスクリーンを設けたりしてこれを目隠し手段としてもかまわない。なお、かかるカーテンやロールスクリーンは、難燃性でかつ透光性を有する素材で形成することが考えられる。
【００２３】
目隠し手段は、キッチンユニットとほぼ同一幅となるように設けてもかまわないが、目隠し手段をダイニングスペース側に延設した場合においては、リビングからキッチンスペースへの視線を更に遮ることが可能となる。
【００２４】
また、第１の参考発明に係る住宅の室内配置構造においては、平面形状が矩形をなすダイニングキッチン及びリビングを互いに隣接配置するとともに、ダイニングキッチンに所定のキッチンユニットをその正面にてダイニングスペースが形成されるように配置し、ダイニングキッチンのうち、キッチンユニットの手前に形成されたキッチンスペースからリビングに向けられる視線が形成されるようにキッチンユニットを斜めに平面配置してあるため、キッチンスペースからリビングが見やすくなる。
【００２５】
ここで、斜めに平面配置するとは、矩形平面状をなすダイニングキッチンの短手方向及び長手方向のいずれに対しても非平行となるように配置するという意味であるが、キッチンスペースからリビングに向けられる視線が形成される限り、どの程度斜めに傾けるかは任意である。
【００２６】
なお、リビングの形状については、ダイニングキッチンとは異なり、平面形状が矩形をなす必要はなく、任意に設定することができる点や、矩形平面状のダイニングキッチンにキッチンユニットを斜めに配置したことによって、ダイニングキッチンに平面形状が概ね台形をなすキッチンスペース及びダイニングスペースが形成される点については、請求項１と同様である。また、リビング、キッチンユニット及びダイニングキッチンは、請求項１に係るリビング、キッチンユニット及びダイニングキッチンと同じ構成であるので、ここではその説明を省略する。
【００２７】
また、第２の参考発明に係るキッチン構造においては、奥行きの異なる複数のキッチン設備が壁面に沿って配置される際の配置状態における前記各キッチン設備と少なくとも２つの接点を有し前記各キッチン設備が仮想境界線を越えないように設定した仮想境界線と平行になるように該仮想境界線から所定幅だけ離間させて所定のキッチンユニットを設置してある。
【００２８】
このようにすると、奥行きに差がある複数のキッチン設備を配置する場合でも、キッチン設備とキッチンユニットとの間には、所定の幅が最小幅として確保されたキッチン作業スペースが設けられることとなる。
【００２９】
キッチンユニットをどのように構成するかは任意であるが、主として、流し台、調理台及びガス台から構成することが考えられる。
【００３０】
キッチン設備は、主として、冷蔵庫や食器棚が考えられるが、何を配置するかは任意であり、食器洗い機や調理台などを配置してもかまわない。また、キッチン設備の数も任意である。
【００３１】
キッチン設備を壁面に配置するにあたっては、どのように配置するか任意であり、キッチンの使いやすさ等を考慮して適宜決めればよいが、例えば、奥行きの大きい順又は小さい順に並ぶように配置することが考えられる。
【００３２】
仮想境界線は、キッチンの壁面に沿って配置されるキッチン設備の配置位置から設定される直線状の仮想線であり、奥行きの異なるキッチン設備のいわば前面ラインとなるので、壁面に対して非平行に設定されることとなる。
【００３３】
所定幅は、キッチン作業スペースでの作業性や該キッチンに隣接する居室、例えばダイニングやリビングの広さあるいは通路としての歩行容易性等を考慮して適宜定めればよい。
【００３４】
なお、キッチンは、対面式であるかどうかは問わない。すなわち、四方を壁や建具で囲まれたキッチンとしてもよいし、キッチンに隣接するダイニングとの間に対面開口が設けられた対面式のキッチンとしてもよい。
【００３５】
また、第３の参考発明に係るキッチン構造の設計方法においては、まず、奥行きの異なる複数のキッチン設備が壁面に沿って配置される際の配置位置を決定する。次に、該配置状態における各キッチン設備と少なくとも２つの接点を有する仮想境界線を前記各キッチン設備が該仮想境界線を越えないように設定する。次いで、該仮想境界線と平行になるように該仮想境界線から所定幅だけ離間させて所定のキッチンユニットが設置されるように該キッチンユニットの設置位置を決定する。
【００３６】
このようにすると、第２の参考発明に係るキッチン構造と同様、奥行きに差がある複数のキッチン設備を配置する場合でも、キッチン設備とキッチンユニットとの間には、所定の幅が最小幅として確保されたキッチン作業スペースが設けられることとなる。
【００３７】
キッチンユニット、キッチン設備、仮想境界線及び所定幅については、第２の参考発明と同様であるので、ここではその説明を省略する。
【００３８】
【発明の実施の形態】
以下、本発明に係る住宅の室内配置構造の実施の形態と参考発明に係る実施の形態について、添付図面を参照して説明する。なお、従来技術と実質的に同一の部品等については同一の符号を付してその説明を省略する。
【００３９】
（第１実施形態）
【００４０】
図１は、第１実施形態に係る住宅の室内配置構造１を示した平面図である。同図に示すように、本実施形態に係る住宅の室内配置構造１は、平面形状が矩形をなすダイニングキッチン２にリビング３を隣接配置してあるとともに、ダイニングキッチン２にキッチンユニット４を配置してある。
【００４１】
キッチンユニット４は、流し台、調理台、ガス台等を適宜組み合わせて構成してある。
【００４２】
ダイニングキッチン２は、該ダイニングキッチンに配置されたキッチンユニット４によって、キッチンユニット４の正面に形成されるダイニングスペース５と、キッチンユニット４の手前に形成されるキッチンスペース６とに区分され、いわゆる対面式のダイニングキッチン２となっている。
【００４３】
ここで、キッチンユニット４のリビング３側の側方には、目隠し手段である壁７を設けてあり、キッチンユニット４は、キッチンスペース６に向けられるリビング３からの視線が壁７によって遮られるように斜めに平面配置してある。
【００４４】
したがって、矩形平面状のダイニングキッチン２には、平面形状がそれぞれ台形をなすダイニングスペース５及びキッチンスペース６が形成されることとなる。
【００４５】
なお、キッチンスペース６には、冷蔵庫８及び食器棚９を壁面１０に沿って設置してあるとともに、キッチンユニット４のダイニングスペース５側には、平面形状が概ね台形をなすカウンタ１１を設けてある。
【００４６】
本実施形態に係る住宅の室内配置構造１においては、リビング３からキッチンスペース６に向けられる視線は、同図破線の矢印で示したように、キッチンユニット４の側方に設けられた目隠し手段である壁７によって遮られる。
【００４７】
また、キッチンユニット４は、矩形をなすダイニングキッチン２の短手方向又は長手方向に対して従来のように平行に配置されるのではなく、キッチンスペース６に向けられるリビング３からの視線が壁７によって遮られるように斜めに配置してあるので、壁７による目隠し作用と相まってリビング３からはキッチンスペース６内がより見えにくくなる。
【００４８】
以上説明したように、本実施形態に係る住宅の室内配置構造１によれば、キッチンユニット４のリビング３側の側方に壁７を設けるとともにキッチンユニット４をキッチンスペース６に向けられるリビング３からの視線が壁７によって遮られるようにダイニングキッチン２に斜めに配置したので、リビング３からキッチンスペース６を見えにくくすることができる。
【００４９】
したがって、リビング３に来客がいる場合でも、該リビングからの来客の視線を気にすることなく、キッチンスペース６で家事を続けることが可能となる。
【００５０】
本実施形態では、キッチンユニット４のリビング３側の側方に目隠し手段として壁７を設けたが、図２に示すように、目隠し手段をダイニングスペース５側に延設した壁２１としてもかまわない。かかる場合には、同図破線矢印で示したように、リビング３からキッチンスペース６への視線をより遮ることが可能となる。
【００５１】
（第２実施形態〜第１の参考発明に係る実施形態）
【００５２】
次に、第２実施形態に係る住宅の室内配置構造の実施の形態について説明する。なお、第１実施形態と実質的に同一の部品等については同一の符号を付してその説明を省略する。
【００５３】
図３は、第２実施形態に係る住宅の室内配置構造３１を示した平面図である。同図に示すように、本実施形態に係る住宅の室内配置構造３１は、平面形状が矩形をなすダイニングキッチン３２にリビング３を隣接配置してあるとともに、ダイニングキッチン３２にキッチンユニット３４を配置してある。
【００５４】
キッチンユニット３４は、流し台、調理台、ガス台等を適宜組み合わせて構成してあるとともに、そのリビング側の側方には仕切り壁３７を立設してある。
【００５５】
ダイニングキッチン３２は、該ダイニングキッチンに配置されたキッチンユニット３４によって、キッチンユニット３４の正面に形成されるダイニングスペース３５と、キッチンユニット３４の手前に形成されるキッチンスペース３６とに区分され、いわゆる対面式のダイニングキッチン３２となっている。
【００５６】
ここで、キッチンユニット３４は、キッチンスペース３６からリビング３に向けられる視線が形成されるように斜めに平面配置してある。
【００５７】
したがって、矩形平面状のダイニングキッチン３２には、平面形状がそれぞれ台形をなすダイニングスペース３５及びキッチンスペース３６が形成されることとなる。
【００５８】
なお、キッチンスペース３６には、冷蔵庫８及び食器棚９を壁面１０に沿って設置してあるとともに、キッチンユニット３４のダイニングスペース３５側には、平面形状が概ね台形をなすカウンタ３３を設けてある。
【００５９】
本実施形態に係る住宅の室内配置構造３１においては、キッチンユニット３４は、矩形をなすダイニングキッチン３２の短手方向又は長手方向に対して従来のように平行に配置されるのではなく、キッチンスペース３６からリビング３に向けられる視線が形成されるように斜めに配置してあるので、同図破線の矢印で示したように、キッチンスペース３６からリビング３が見やすくなる。
【００６０】
以上説明したように、本実施形態に係る住宅の室内配置構造３１によれば、キッチンスペース３６からリビング３に向けられる視線が形成されるようにキッチンユニット３４を斜めに平面配置したので、キッチンスペース３６からリビング３を見やすくすることができる。
【００６１】
したがって、例えばリビング３で幼い子供が遊んでいる場合、キッチンスペース３６で家事をしている母親は、該リビングへ視線を向けることによって子供の様子を伺い知ることが可能となり、家事を中断することなく幼い子供に目を配ることが可能となる。
【００６２】
本実施形態では、キッチンユニット３４のリビング３側の側方に仕切り壁３７を設けたが、図４に示すようにかかる仕切り壁を省略することともに、該仕切り壁に代えて側方開口３８としてもかまわない。かかる場合には、キッチンスペース３６からリビング３への視線の角度が拡がり、リビング３がより見やすい状態となる。
【００６３】
（第３実施形態〜第２及び第３の参考発明に係る実施形態〜）
【００６４】
次に、第３実施形態に係るキッチン構造及びその設計方法の実施の形態について説明する。なお、第１実施形態及び第２実施形態と実質的に同一の部品等については同一の符号を付してその説明を省略する。
【００６５】
図５は、第３実施形態に係るキッチン構造を示した平面図である。同図に示すように、本実施形態に係るキッチン構造４１は、流し台、調理台、ガス台等を適宜組み合わせて構成されてなるキッチンユニット４２をその正面にダイニング４３が対面されるようにかつダイニング４３の側方に隣接配置されたリビング３が斜め前方に位置するように配置してなる。
【００６６】
キッチンユニット４２は、奥行きの異なる複数のキッチン設備としての冷蔵庫４４、食器洗い機４５及び食器棚４６の配置位置に関連して設定される仮想境界線４７と平行になるように該仮想境界線から所定幅Ｗだけ離間させて設置してある。したがって、キッチンユニット４２と仮想境界線４７との間には、所定幅Ｗを最小幅としたキッチン作業スペース４８が形成されることとなる。
【００６７】
ここで、仮想境界線４７は、壁面４９に沿って冷蔵庫４４、食器洗い機４５及び食器棚４６が配置されたときの配置状態において、冷蔵庫４４、食器洗い機４５及び食器棚４６と２つの接点Ａ、Ｂを有し、かつ該冷蔵庫、食器洗い機及び食器棚が該仮想境界線を越えないように設定してある。
【００６８】
本実施形態に係るキッチン構造４１を設計するには、まず、冷蔵庫４４、食器洗い機４５及び食器棚４６といった奥行きに差がある複数のキッチン設備を壁面４９のどの位置に配置するのか、すなわち、壁面４９に沿った冷蔵庫４４、食器洗い機４５及び食器棚４６の配置位置を決定する。
【００６９】
奥行きの異なる冷蔵庫４４、食器洗い機４５及び食器棚４６を壁面４９に沿ってどのように位置決めするかは、冷蔵庫４４からの食材の取り出し、該食材を使ったキッチンユニット４２での調理、食器棚４６からの食器の取り出し、調理された料理の食器への盛り付け、食事後の片づけ、食器洗い機４５内への食器の収納といったキッチン作業スペース４８内での一連の作業動線や作業性を考えて適宜決定すればよい。本実施形態においては、奥行き寸法の大きなキッチン設備、すなわち、冷蔵庫４４、食器洗い機４５及び食器棚４６を入り口に近い方から順次配置するものとした。
【００７０】
次に、冷蔵庫４４、食器洗い機４５及び食器棚４６の配置位置が決定されたならば、かかる配置状態における冷蔵庫４４、食器洗い機４５及び食器棚４６と２つの接点Ａ、Ｂを有し、かつ該冷蔵庫、食器洗い機及び食器棚が越えないように仮想境界線４７を設定する。
【００７１】
かかる仮想境界線４７は、本実施形態では図５でわかるように、Ａ点で冷蔵庫４４の隅部と接するとともにＢ点で食器棚４６の隅部と接するように設定してあり、両者の間に配置される食器洗い機４５は、該仮想境界線の内側（壁面４９側）に配置されることとなる。
【００７２】
仮想境界線４７を設定したならば、次に、かかる仮想境界線４７と平行になるように該仮想境界線から所定幅Ｗだけ離間させてキッチンユニット４２が設置されるように該キッチンユニットの設置位置を決定する。
【００７３】
所定幅Ｗは、ダイニング４３やリビング３の広さとの兼ね合いを考慮しつつ、キッチン作業スペース４８での作業動線や作業性あるいは通路としての歩行容易性を考慮して適宜定めればよい。
【００７４】
このように本実施形態に係るキッチン構造４１及びその設計方法においては、上述するように設定された仮想境界線４７と平行になるように該仮想境界線から所定幅Ｗだけ離間させてキッチンユニット４２を設置してあるため、冷蔵庫４４、食器洗い機４５及び食器棚４６といった奥行きに差がある複数のキッチン設備を配置する場合でも、かかるキッチン設備とキッチンユニット４２との間に拡がるキッチン作業スペース４８は、最も狭い箇所でも所定幅Ｗが最小幅として確保されることとなる。
【００７５】
以上説明したように、本実施形態に係るキッチン構造及びその設計方法によれば、冷蔵庫４４、食器洗い機４５及び食器棚４６といった奥行きに差がある複数のキッチン設備がはみ出さないように壁面４９側に向けて後退させた仮想境界線４７を設定し、該仮想境界線と平行になるようにキッチンユニット４２を配置したので、奥行きの異なる複数のキッチン設備を壁面に配置する場合でも、キッチン作業スペース４８内で所望の幅Ｗを最小幅として確保することが可能となり、キッチン内での家事の効率を大幅に向上させることができるとともに、狭くて通りにくいといった事態も未然に防止することが可能となる。
【００７６】
本実施形態では特に言及しなかったが、同図に示すように、キッチン構造４１がキッチンユニット４２の正面側にてダイニング４３と隣接して対面式のキッチンとなっているとともに、ダイニング４３がリビング３と隣接している場合においては、冷蔵庫４４、食器洗い機４５及び食器棚４６といった奥行きの異なる複数のキッチン設備の配置位置を決定するにあたり、上述したようなキッチン内での作業動線や作業性を配置位置の判断基準とすることに加えて、あるいはこれに代えて、リビング３との関係を判断基準とするようにしてもかまわない。
【００７７】
すなわち、リビング３からキッチン作業スペース４８を見せたくない場合においては、キッチンユニット４２がリビング３と反対方向を向くように、すなわち、仮想境界線４７がリビング３と反対方向を向くように、キッチン作業スペース４８の入り口に近い方から奥行きの大きい順、すなわち、冷蔵庫４４、食器洗い機４５、食器棚４６の順に壁面４９に沿って配置する。
【００７８】
これとは逆に、リビング３で幼い子供が遊んでいる子供をキッチン作業スペース４８から見たい場合には、図６に示すように、キッチンユニット４２がリビング３の方向を向くように、すなわち、仮想境界線４７がリビング３を向くように、キッチン作業スペース４８の入り口に近い方から奥行きの小さい順、すなわち、食器棚４６、食器洗い機４５、冷蔵庫４４の順に壁面４９に沿って配置する。
【００７９】
また、本実施形態では、奥行き寸法の関係上、仮想境界線４７は、Ａ点で冷蔵庫４４の隅部と接するとともにＢ点で食器棚４６の隅部と接するように設定され、両者の間に配置される食器洗い機４５は、該仮想境界線の内側（壁面４９側）に配置されることとなったが、場合によっては、図７に示すような仮想境界線４７′となることもありえる。すなわち、同図に示す仮想境界線４７′は、Ａ′点で冷蔵庫４４の隅部と接するとともにＢ′点で食器洗い機４５の隅部と接するように設定してあり、奥に配置される食器棚４６は、該仮想境界線の内側（壁面４９側）に配置されることとなる。
【００８０】
また、本実施形態では、キッチンを対面式としたが、本発明に係るキッチン構造は対面式のキッチンに限るものではなく、四方を壁や建具で囲まれた対面開口を設けないキッチンとしてもかまわない。
【００８１】
【発明の効果】
以上述べたように、本発明に係る住宅の室内配置構造によれば、キッチンユニットのリビング側の側方に目隠し手段を設けるとともにキッチンユニットをダイニングキッチンに斜めに配置したので、リビングからキッチンスペースへの視線を遮ることが可能となり、リビングからキッチンスペースを見えにくくすることができる。
【００８４】
【図面の簡単な説明】
【図１】第１実施形態に係る住宅の室内配置構造を示した平面図。
【図２】第１実施形態の変形例に係る住宅の室内配置構造を示した平面図。
【図３】第２実施形態に係る住宅の室内配置構造を示した平面図。
【図４】第２実施形態の変形例に係る住宅の室内配置構造を示した平面図。
【図５】第３実施形態に係るキッチン構造を示した平面配置図。
【図６】第３実施形態の変形例に係るキッチン構造を示した平面配置図。
【図７】第３実施形態の変形例に係るキッチン構造を示した平面配置図。
【符号の説明】
１、３１                    住宅の室内配置構造
２、３２                    ダイニングキッチン
３                          リビング
４、３４                    キッチンユニット
５、３５                    ダイニングスペース
６、３６                    キッチンスペース
７、２１                    壁（目隠し手段）
４１                        キッチン構造
４２                        キッチンユニット
４４                        冷蔵庫（キッチン設備）
４５                        食器洗い機（キッチン設備）
４６                        食器棚（キッチン設備）
４７、４７′                仮想境界線
４９                        壁面
【図１】
0004623822.tif 000002
【図２】
0004623822.tif 000003
【図３】
0004623822.tif 000004
【図４】
0004623822.tif 000005
【図５】
0004623822.tif 000006
【図６】
0004623822.tif 000007
【図７】
0004623822.tif 000008